(57)【要約】【課題】通信システムのネットワーク側の処理負荷が増大する。【解決手段】迷惑メールであるか否かの判定に用いるキーワードを記憶し、移動局から宛先が複数の電子メールを受信すると、当該電子メールの内容を参照し、参照した内容に記憶するキーワードが含まれる場合、当該電子メールのネットワーク側への送信を行わず、当該電子メールを送信した当該移動局に警告を行うデータを送信する。【選択図】図３
2014192572.tif 000002
【特許請求の範囲】
【請求項１】
移動局と無線通信を行う通信部と、
迷惑メールであるか否かの判定に用いるキーワードを記憶する記憶部と、
前記通信部で前記移動局から宛先が複数の電子メールを受信すると、当該電子メールの内容を参照し、参照した内容に前記記憶部が記憶するキーワードが含まれる場合、当該電子メールのネットワーク側への送信を行わず、当該電子メールを送信した移動局に警告を行うデータを前記通信部に送信させる制御部と、
を備えることを特徴とする基地局。
【請求項２】
前記制御部は、前記記憶部に記憶されるキーワードを前記ネットワーク側の管理装置から定期的に取得する、ことを特徴とする請求項１に記載の基地局。
【請求項３】
迷惑メールであるか否かの判定に用いるキーワードを記憶するステップＡと、
移動局から宛先が複数の電子メールを受信すると、当該電子メールの内容を参照し、参照した内容に記憶するキーワードが含まれる場合、当該電子メールのネットワーク側への送信を行わず、当該電子メールを送信した当該移動局に警告を行うデータを送信するステップＢと、
を有することを特徴とする基地局の通信方法。
【発明の詳細な説明】
【技術分野】
【０００１】
本発明は、無線通信を行う基地局および通信方法に関する。
【背景技術】
【０００２】
迷惑メール対策としてフィルタリング技術が各種提案されている。例えば、特許文献１には、移動局が迷惑メールを受信すると、特定のアドレスに当該迷惑メールを転送し、記載内容からキーワードを抽出・記憶し、当該キーワードを含む当該移動局宛の新たなメールを受信すると、当該メールを破棄する技術が記載されている。
【先行技術文献】
【特許文献】
【０００３】
【特許文献１】特開２００３−２６３３９１号公報
【発明の概要】
【発明が解決しようとする課題】
【０００４】
この迷惑メール（例えば、チェーンメール）は複数の移動局宛に送信されることが多い。そのため、ネットワーク側では、大量の迷惑メールの送受信、フィルタリングを行うための処理を行う必要がある。そして、トラフィック量が急激に増加している近年の状況を考慮すると、ネットワーク側の通信装置に対する処理負荷の影響は見過ごすことができない。
【０００５】
本発明は上述の課題に鑑みてなされたものであって、その目的は、ネットワーク側における処理の処理負荷を低減することが可能な基地局および通信方法を提供することにある。
【課題を解決するための手段】
【０００６】
上記課題を解決するために、本発明の代表的な構成は、移動局と無線通信を行う通信部と、迷惑メールであるか否かの判定に用いるキーワードを記憶する記憶部と、前記通信部で前記移動局から宛先が複数の電子メールを受信すると、当該電子メールの内容を参照し、参照した内容に前記記憶部が記憶するキーワードが含まれる場合、当該電子メールのネットワーク側への送信を行わず、当該電子メールを送信した移動局に警告を行うデータを前記通信部に送信させる制御部と、を備える。
【０００７】
また、前記制御部は、前記記憶部に記憶されるキーワードを前記ネットワーク側の管理装置から定期的に取得してもよい。
【０００８】
上記課題を解決するために、本発明の代表的な構成は、基地局の通信方法であって、迷惑メールであるか否かの判定に用いるキーワードを記憶するステップＡと、移動局から宛先が複数の電子メールを受信すると、当該電子メールの内容を参照し、参照した内容に記憶するキーワードが含まれる場合、当該電子メールのネットワーク側への送信を行わず、当該電子メールを送信した当該移動局に警告を行うデータを送信するステップＢと、を有する。
【発明の効果】
【０００９】
本発明によれば、ネットワーク側の処理負荷を低減することが可能となる。
【図面の簡単な説明】
【００１０】
【図１】本発明の実施形態に係る通信システムの構成を示す図である。
【図２】本発明の実施形態に係る基地局の機能ブロック図である。
【図３】本発明の実施形態に係る通信システムを構成する基地局の動作を示す図である。
【発明を実施するための形態】
【００１１】
以下、本発明の実施の形態について説明する。
【００１２】
図１は、本発明の実施形態に係る通信システム１０を示す図である。同図に示すように、通信システム１０は、複数の基地局２０（２０ａ〜２０ｃ）と、サーバ３０と、移動局４０とを含んで構成される。
【００１３】
基地局２０は、通信システム１０が採用する通信方式を利用して、移動局４０と無線通信を行う。通信方式としては、例えば、ＰＨＳ、ＸＧＰ、ＬＴＥ等がある。また、基地局２０は、ネットワークを介してサーバ３０から定期的にデータを取得する。
【００１４】
図２は、通信システム１０における、基地局２０の機能ブロック図である。
【００１５】
基地局２０は、図２に示すように、アンテナＡＮＴ、無線通信部２１０、Ｉ／Ｆ部２３０、記憶部２４０、制御部２５０を含む。
【００１６】
無線通信部２１０は、アンテナＡＮＴを介して移動局４０から送信される上り無線信号を受信する。通信部２１０は、受信した無線信号をベースバンド信号に変換（ダウンコンバート）後、復調及び復号処理を行うことでデータを得る。無線通信部２１０は、得られたデータを制御部２５０に出力する。
【００１７】
また、無線通信部２１０は、制御部２５０からのデータの符号化及び変調を行ってベースバンド信号を得る。無線通信部２１０は、得られたベースバンド信号を無線信号に変換（アップコンバート）する。無線通信部２１０は、変換後の無線信号を、アンテナＡＮＴを介して移動局４０に下り無線信号として送信する。
【００１８】
Ｉ／Ｆ部２３０は、上位のネットワークから送信された移動局４０宛のデータを受信する。また、Ｉ／Ｆ部２３０は、移動局４０から受信したデータを、上位のネットワークに向けて送信する。
【００１９】
記憶部２４０は、例えばメモリによって構成され、基地局２０の制御等に用いられる各種情報を記憶する。また、記憶部２５０は、制御部２４０がサーバ３０から定期的に取得した、迷惑メールであるか否かも判定に用いるキーワードに関するキーワード情報を記憶する。
【００２０】
制御部２５０は、例えばＣＰＵによって構成され、基地局２０が具備する各種機能を制御する。
【００２１】
また、制御部２５０は、サーバ３０から定期的にキーワード情報を取得する。このキーワード情報は、迷惑メールであるか否かも判定に用いるキーワードに関する情報を含んでいる。ここで、キーワードとは、例えば、「○分以内に」、「複数の人に転送してください」、「△△株式会社に勤務されている方の情報で…」といった文字、雛形が該当する。
【００２２】
そして、制御部２５０は、移動局４０から宛先が複数となっている電子メールを無線通信部２１０が受信すると、当該メールの内容文を抽出し、抽出した内容文に記憶部２４０に記憶するキーワード情報のキーワードが含まれるか否か判定する。
【００２３】
制御部２５０は、判定の結果、内容文にキーワードが含まれない場合は、当該電子メールをＩ／Ｆ部２３０を介してネットワーク側に送信する。
【００２４】
一方、制御部２５０は、判定の結果、内容文にキーワードを含む場合は、当該電子メールが迷惑メール（チェーンメール）であると判定する。そして、制御部２５０は、迷惑メールと判定した電子メールをＩ／Ｆ部２３０を介してネットワーク側に送信しないよう制御（送信を中止）する。
【００２５】
さらに、制御部２５０は、迷惑メールであると判定した電子メールを送信した移動局４０に対して警告を行うための警告情報を、無線通信部２１０を介して送信する。
【００２６】
次に、図３に示すフローチャートを用いて基地局の動作について説明する。
【００２７】
ステップＳ１０１において、基地局２０の制御部２５０は、サーバ３０からキーワード情報を取得してから一定期間経過したか否か判定する。制御部２５０は、一定期間経過したと判定すると、ステップＳ１０２に移行する。一方、制御部２５０は、一定期間経過していないと判定すると、ステップＳ１０３に移行する。
【００２８】
ステップＳ１０２において、制御部２５０は、サーバ３０からキーワード情報を取得し、記憶部２４０に記憶するキーワード情報を更新する。
【００２９】
ステップＳ１０３において、制御部２５０は、電子メールを受信したか否か判定する。制御部２５０は、電子メールを受信したと判定するとステップＳ１０４に移行する。一方、制御部２５０は、電子メールを受信していないと判定するとステップＳ１０１に移行する。
【００３０】
ステップＳ１０４において、制御部２５０は、受信した電子メールの宛先が複数か否か判定する。制御部２５０は、宛先が複数と判定するとステップＳ１０５に移行する。一方、制御部２５０は、宛先が複数でないと判定するとステップＳ１０８に移行する。
【００３１】
ステップＳ１０５において、制御部２５０は、受信した電子メールから内容文を抽出し、抽出した内容文にキーワード情報に含まれるキーワードが含まれているか否か判定する。制御部２５０は、キーワードが含まれていると判定すると、ステップＳ１０６に移行する。一方、制御部２５０は、キーワードが含まれていないと判定すると、ステップＳ１０８に移行する。
【００３２】
ステップＳ１０６において、制御部２５０は、内容文にキーワードが含まれる電子メールのネットワーク側への送信を中止する。
【００３３】
ステップＳ１０７において、制御部２５０は、内容文にキーワードが含まれる電子メールを送信した移動局４０に対して警告情報を送信する。
【００３４】
ステップＳ１０８において、制御部２５０は、内容文にキーワードが含まれる電子メールのネットワーク側へ送信する。
（その他の実施の形態）
上述した実施形態では、基地局はサーバからキーワード情報を取得した。しかしながら、このキーワード情報は、迷惑メールであると判定したユーザの移動局から転送される電子メールからキーワードとなる文字を当該電子メールの内容文から抽出し、キーワード情報として記憶部に記憶してもよい。
【００３５】
また、基地局は、宛先が複数となっている電子メールについて内容文にキーワードが含まれるか否か判定を行ったが、宛先が１の電子メールについても同様の処理を行ってもよい。
【００３６】
さらに、基地局は、電子メールの内容文に１以上のキーワードが含まれると、ネットワーク側への送信を中止していたが、検出したキーワードが予め設定した所定値以上となる場合（２以上の一定数存在する場合）にのみ、ネットワーク側への送信を中止してもよい。また、キーワード情報に含まれる各キーワードにポイントを設定し、電子メールに含まれる各キーワードのポイントの合計が閾値以上となる場合に、ネットワーク側への送信を中止してもよい。
【００３７】
本発明を諸図面や実施例に基づき説明してきたが当業者であれば本開示に基づき種々の変形や修正を行うことが容易であることに注意されたい。したがって、これらの変形や修正は本発明の範囲に含まれることを留意されたい。例えば、各構成部、各ステップなどに含まれる機能などは論理的に矛盾しないように再配置可能であり、複数の手段やステップなどを１つに組み合わせたり、或いは分割したりすることが可能である。
【符号の説明】
【００３８】
１０…通信システム、２０…基地局、３０…サーバ、４０…移動局、２１０…無線通信部、２３０…Ｉ／Ｆ部、２４０…記憶部、２５０…制御部、ＡＮＴ…アンテナ
【図１】
2014192572.tif 000003
【図２】
2014192572.tif 000004
【図３】
2014192572.tif 000005